(57)【要約】      （修正有）【課題】熱中症予防に効果的なヘルメットの遮熱構造を提供する。【解決手段】アルミホイル等輻射熱に対して高反射率の素材、接着や熱溶着層、不識布や樹脂シートを順に積層した遮熱シート３を、ヘッドバンドや衝撃吸収ライナー８と帽体９の内側との間に、アルミホイル等輻射熱に対して高反射率の素材がヘルメット１の帽体９の内側に向く様に、しかもヘルメット１の帽体９の内側と遮熱シート３との間に空間２をもたせる様に取り付けた。【選択図】図１
0003222405.tif 000002
【実用新案登録請求の範囲】
【請求項１】
アルミホイル等輻射熱に対して高反射率の素材、接着や熱溶着層、不織布や樹脂シート等を順に積層した遮熱シートを、ヘッドバンドや衝撃吸収ライナーと帽体の内側との間に、アルミホイル等輻射熱に対して高反射率の素材がヘルメットの帽体の内側に向く様に、しかもヘルメットの帽体の内側と遮熱シートとの間に空間を持たせる様に取り付けたヘルメットの遮熱構造
【考案の詳細な説明】
【技術分野】
【０００１】  本考案は、ヘルメットの内側に、アルミホイル等輻射熱に対して高反射率の素材を使用し、熱中症予防に効果的なヘルメットを提供するものである。
【背景技術】
【０００２】  ヘルメットの内面に、アルミホイル等輻射熱に対して高反射率の素材を直貼りしたものがある。
【考案の概要】
【考案が解決しようとしている課題】
【０００３】  その為次のような問題があった。
太陽光がヘルメットに照射されると、気温３０℃でもヘルメット表面は６５℃以上にもなり、その熱はヘルメットの帽体を伝達し、帽体内側表面から頭部に二次輻射熱として放射される。熱中症は、気温よりはむしろこの輻射熱の影響が大きいと考えられる。
ヘルメットの帽体の内側表面から放射される輻射熱の阻止のため、ヘルメットの帽体の内側にアルミホイル等輻射熱に対して高反射率の素材を直貼りして対処しているものがある。これは、アルミホイル等輻射熱に対して高反射率の素材は、低放射率の素材でもあるからである。
これによって、気温２５℃位であればヘルメットの帽体外側は６５℃以上になっても、内側は２５〜２６℃程度の表面温度とする事が出来る。
一見涼しいように思えるが、ヘルメットには体温３６．５℃位の頭部が入る訳で、熱は熱い方から冷たい方に移動の原則に則り、頭部からヘルメットの帽体の内側に向かって輻射熱が放射される。すると、この輻射熱はアルミホイル等輻射熱に対して高反射率の素材表面で反射され、再び頭部に戻され暑さを感じる事になる。
即ち、太陽からの輻射熱は阻止したものの、頭部から放射される熱を阻止する事が出来ず、折角遮熱しても効果が低下する事になる。
本考案は、これらの問題を解決する為になされたものである。
【課題を解決するための手段】
【０００４】  本考案は、アルミホイル等輻射熱に対して高反射率の素材、接着や熱溶着層、不織布や樹脂シート等を順に積層した遮熱シートを、ヘッドバンドや衝撃吸収ライナーと帽体の内側との間に、アルミホイル等輻射熱に対して高反射率の素材がヘルメットの帽体の内側に向く様に、しかもヘルメットの帽体の内側と遮熱シートとの間に空間を持たせる様に取り付けたヘルメットの遮熱構造である。
【図面の簡単な説明】
【０００５】
【図１】ヘルメットの内側に、遮熱シートを取り付けた断面図
【図２】遮熱シートの断面図
【図３】遮熱シートの平面図
【考案を実施するための形態】
【０００６】  以下本考案を実施するための最良の形態について説明する。
本考案は、アルミホイル等輻射熱に対して高反射率の素材５、接着や熱溶着層６、不織布や樹脂シート等７を順に積層した遮熱シート３を、ヘッドバンドや衝撃吸収ライナー８と帽体９内側との間に、アルミホイル等輻射熱に対して高反射率の素材５がヘルメット１の帽体９の内側に向く様に、しかもヘルメット１の帽体９の内側と遮熱シート３との間に空間２を持たせる様に取り付けたヘルメットの遮熱構造である。
【０００７】  遮熱シート３は、アルミホイル等輻射熱に対して高反射率の素材５に、不織布や樹脂シート等７を接着材や熱溶着６で貼った三層構造のシートである。
又遮熱シート３は、アルミホイル等輻射熱に対して高反射率の素材５がヘルメット１の帽体９内側に向く様に、しかもヘルメット１の帽体９の内面と遮熱シー３との間に空間２が出来る様に施工する。
遮熱シート３の取り付け位置は、ヘッドバンドや衝撃吸収ライナー８の天端とヘルメット１の帽体９の内面との間である。しっかり固定する場合は、ヘッドバンドや衝撃吸収ライナー８の天端に、遮熱シート３の不織布や樹脂シート等７を両面テープやマジックテープで接着固定する事も出来る。
遮熱シート３の端面とヘルメット１側面は極力密着が好ましいが、ヘルメット１は不定形なものが多いので、遮熱シート３の形状によっては隙間が出来る場合もある。しかし、この隙間からは出入りする熱は伝導熱や対流熱なので熱量も少ないのでそれほど気にする事は無い。
【０００８】  アルミホイル等輻射熱に対して高反射率の素材５は蒸着品でもアルミ箔等でも良く、重要なのは輻射熱に対する反射率で、反射率が高いほど効果を発揮する。一般的には、反射率９５パーセント以上のものが使用されている。
【０００９】  不織布や樹脂シート等７は、輻射熱が透過しないものが良くしかも熱を吸収する素材が好ましい。
形状は、花びら型や丸型、楕円形等様々なものが考えられるが特にこだわらない。
厚みは、通常は２〜５ミリメートル位のものが使用されている。
【００１０】  当該発明のメカニズムを説明する。
屋外で体温を上昇させる最も大きな要因は太陽光所謂輻射熱である。従って、暑さ対策には輻射熱を阻止する事が最も重要である。この輻射熱を最も効率的に阻止できるのはアルミホイル等輻射熱に対して高反射率の素材５である。
本考案は、ヘルメット１内部に、しかもヘルメット１内側表面との間に空間２を設けて取り付けてあり、更にアルミホイル等輻射熱に対して高反射率の素材５がヘルメット１表面側に施工されている。
太陽光がヘルメット１に照射されると、一部はヘルメット１表面で反射するが、大半はヘルメット１素材に吸収され伝導熱となる。この伝導熱は、熱は高い方から低い方に移動の法則に則り、ヘルメット１の内側表面まで移動、その多くは二次輻射熱の形態をとって頭部４に向かって放射される。
しかし、途中に遮熱シート３があり、しかもアルミホイル等輻射熱に対して高反射率の素材５がある為、ヘルメット１からの輻射熱はこのアルミホイル等輻射熱に対して高反射率の素材５で大半が反射されヘルメット１に戻されることになる。従って、遮熱シート３を通して頭部４に伝達される熱量は非常に少なくなる。
一方、遮熱シート３が体温より低い場合、頭部４の熱は遮熱シート３に向かって放射される。しかし、遮熱シート３の頭部４側には、不織布や樹脂シート等７輻射熱に対して低反射率の素材があり、頭部４からの輻射熱の大半はこれらの素材に吸収され伝導熱となり、頭部４に反射して戻される輻射熱は非常に少なくなる。
この結果、太陽から来る輻射熱、そして頭部４から放射される輻射熱をも阻止できるので、頭部４に伝達される熱量は大幅に減少し、快適な環境を生み出す事が出来る。
【考案の効果】
【００１１】  夏場の暑さでも、快適な作業が出来る様になった。
【符号の説明】
【００１２】  １ヘルメット
２空間
３遮熱シート
４頭部
５アルミホイル等輻射熱に対して高反射率の素材
６接着層
７不織布や樹脂シート等
８ヘッドバンドや衝撃吸収ライナー
９帽体
【図１】
0003222405.tif 000003
【図２】
0003222405.tif 000004
【図３】
0003222405.tif 000005